(57)【要約】      （修正有）【課題】釣り用天秤を握り易くし、天秤のアーム体のバネ性を簡単に調整出来、且つ、バネ性のヘタリや破損のない釣り用天秤を提供する。【解決手段】バネ性金属線材で断面が丸形状或いは非円形状でなる湾曲状のアーム体１の端子部にサルカンＡを接続し、これにおもり或いはビシを吊り下げてなる釣り用天秤において、当該サルカンＡをアーム体１の先端部に貫通してなる止め軸体２と支え軸体３の双方の結合部に設けたくびれ部２ａに吊るして構成する連結体４が止め部１ａで先端部に固定する。また、連結体４をアーム体１に貫通移動可能な軟質材で伸縮自在でなるロック体５を支え軸体３に程良く収容し、このロック体５の側面５ａにサルカンＡを具備する止め軸体２が加圧Ｐを付加しながら支え軸体３とネジ締めＮ結合し、収容部で逃げ場のないロック体５のはみ出しａが貫通でなるアーム体１を強く挟み込み、移動Ｔする連結体４を任意の位置に固定可能とする。【選択図】図２
2010142213.tif 000002
【特許請求の範囲】
【請求項１】
バネ性金属線材で断面が丸形状或いは、非円形状でなる湾曲状のアーム体１の端子部にサルカンＡを接続し、これに、おもりＢ或いは、ビシＣを吊り下げてなる釣り用天秤において、当該サルカンＡを、アーム体１の先端部に貫通すしてなる、止め軸体２と支え軸体３の双方の結合部に設けたくびれ部２ａに吊るして構成する連結体４が、止め部１ａで、先端部に定着した事を特徴とする釣り用天秤。
【請求項２】
前記する連結体４を例えば、アーム体１に貫通移動可能な軟質材で伸縮自在でなるロック体５を、支え軸体３に程良く収容し、このロック体５の側面５ａにサルカンＡを具備する止め軸体２が加圧Ｐを付加しながら支え軸体３とネジ締めＮ結合し、収容部で逃げ場のないロック体５のはみ出しａが、貫通でなるアーム体１を強く挟み込み、移動Ｔする連結体４を任意の位置に固定可能にした事を特徴とする請求項１記載の釣り用天秤。
【発明の詳細な説明】
【技術分野】
【０００１】  この発明は、船釣り用の天秤を仕掛けに使つてのビシ釣り、或いは、ボートに乗って、浅場の底を狙う投げ込み釣りに使われるおもり付きの天秤の改良に関し、詳しくは、天秤のアーム体に装着するビシ或いはおもりを個別に構成する連結体を使つて、天秤アーム体の端に吊り下げ、また、連結体を手軽にスライド移動してアーム体の任意の位置に固定の出来る天秤に関する。
【背景技術】
【０００２】  この種の従来の技術として、帯板状線材或いは、丸線材を用いたアーム体を使った湾曲状の魚釣り用天秤が、特許文献１または、登録実用新案文献２に記載され開示されている。【０００３】  即ち、特許文献１でのこの釣り用天秤は、バネ性帯板状線材から構成され、この板状線材は断面が長方形の線材で、例えば、スプリング用の丸線ステンレスを圧延加工することによって長辺と短辺とを有する線材（フラット線材）にし、この長辺と短辺との長さの割合を適宜調整することにより、同一の断面積で有っても、所望の種々の強度を得ることが出来るとされる。【０００４】  そして、前記する長方形の線材を使い、湾曲状に伸長するアーム体にし、長方形の長辺が縦向き即ち鉛直方向向きに、短辺が横向き、即ち水平方向向きに配置されたものから構成され、其のアーム体の端子に設けるリング体は、開口部は当然長辺向きに並列して構成し、サルカンに接続し片方の端子部は握り部を介し、おもり或いは、ビシが連結されて道糸側に接続され、他方の端子部のサルカンはハリス側に接続された湾曲状の天秤の構成で、これらは、剛性及び強度面に於いて非常に優れ且つ、釣り場で水中に沈むのに、水を切るように沈み水抵抗の少ない速い落下の天秤構成として知られる。【０００５】  そしてまた、文献２ではバネ性の帯板状線材を使っての断面長方形の薄い断面が弓なりに湾曲状バネ性のある一般的なアーム体構成をベースにし、このアーム体の端子に設けるリング体には夫々サルカンが接続されが、片方の端子は握り部構成でのその線体外周糸体を巻き付けてのスパイでなる握り部構成の基に、おもり或いはビシが吊るされて道糸側に接続され、他方の端子のサルカンはハリス側に接続される構成である。【０００６】
【特許文献１】特開２００４−２１５５６４号公報
【登録実用新案文献２】
登録実用新案公報第３０４７９７４号公報
【発明の開示】
【発明が解決しようとする課題】
【０００７】  しかしながら、文献１で記載されたものでは、強靭な天秤のため、魚釣りでの魚のひきにバネ弾性が作用しない為、アタリや魚との針合わせに難がある等の課題が残る。【０００８】  そしてまた、工法に難があるばかりか、大物魚の針ががりでのもがきや引きでのショックの緩和がなく釣り糸切れや、天秤に強力な付加が発生した時点で薄厚（長手）の縦方向に曲げ力が働くことになるが、バネ性が働かず、過剰な付加は、ひねり方向に塑性変形するか或いは、文献２で記載されたものでも同じように付属品吊り下げ部の根元が支点となり、バネ性がないまま、其の一点に魚の引きが繰り返し応力が集中して働き線材の疲労や    線材破断の発生などが課題となる。
そしてまた、何れも、狙いとする釣る魚の種類や潮の流れなどによって、釣り用天秤のバネ性の強弱や長い天秤或いは、短い天秤と選択を強いられることで、天秤のバネ性を手軽に調整が出来、魚の引きが天秤の一点に集中する事無くバネ性のヘタリや破断の少ない耐久性に富んだ天秤が強く要望されていた。
【課題を解決するための手段】
【０００９】  この発明は、かかる課題を解決する為に、請求項１での発明は、図１での部分断面を示しての要部斜視図と図３での全体を示しての斜視図で述べるに、バネ性金属線材で断面が丸形状或いは、非円形状でなる湾曲状のアーム体１の片方の端子部にサルカンＡを接続し、これに、おもりＢ或いは、ビシＣを吊り下げてなる釣り用天秤において、当該サルカンＡをアーム体１の片方の先端部に貫通してなる、止め軸体２と支え軸体３の双方の結合部に設けたくびれ部２ａに吊るして構成する連結体４にし、これを止め部１ａを使って先端部に定着する構成とする。そしてまた、請求項２での発明を図２と図４での要部斜視図で述べるに、前記する連結体４を例えば、アーム体１に貫通移動可能な軟質材で伸縮自在でなる筒状のロック体５を、支え軸体３に程良く収容し、このロック体５の側面５ａにくびれ部２ａにサルカンＡを吊るし保持する止め軸体２が加圧Ｐを付加しながら支え軸体３とネジ締めＮ結合し、収容部で逃げ場のないロック体５のはみ出しａが、貫通でんなるアーム体１を強く挟み込み、移動Ｔする連結体４を任意の位置に固定可能にした構成とする。
【発明の効果】
【００１０】  本発明は上述の通り構成作用するので、次の優れた効果を奏する。即ち、請求項１での効果は、アーム体の端子部に個別でなる連結体を差し込むだけでのシンプル工法で、且つ、握り部は持ち易い筒体でなる釣り用天秤を提供することが出来る。そしてまた、請求項２での効果は、アーム体の端子部に設けた連結体が端から中央に向け任意に移動させバネ圧を調整の出来る釣り用天秤を提供出来る。このように、おもり或いは、ビシをアーム体に吊り下げる連結体は筒状の軸体構成での貫通孔の遊びのある間口が支点となる事で、バネ性が優れ支点部に線材折れやヘタリの集中することの無い耐久性の富んだ釣り用天秤を提供出来る。
【発明を実施するための最良の形態】
【００１１】  以下に図示の実施例に基づいて本発明を更に詳細に説明する。即ち、図１と図３は本発明での第１実施例に基づく要部を示しての斜視図で、バネ性金属線材で断面が丸形状或いは、非円形状構成で、断面形状を特性する事無く、狙いとする魚の釣り仕掛けに所望の様々な強度と特性の選択を自在にするもので、一般的には、バネ用の丸形状のステンレス材が使われるが、必ずしも丸形状にこだわらず、これらの線材を圧延加工により帯板状線材で長方形に加工され、四角形や小判型や楕円形或いは、三角形など量産の出来る断面が選択されるが、本実施例では最もシンプルな丸形状を引例で述べている。これらのバネ性ステンレス材を所望の長さで、湾曲状のアーム体１に成形し両端子部はリング体１ｂに丸めるが、工程的には後工程でリング体１ｂが形成される。【００１２】  即ち、前記するリング体１ｂが形成される前工程において、アーム体１の片方の端子部に貫通でなる止め軸体２は、孔を持つ合成樹脂製の筒状で段違いの細いくびれ部２ａにサルカンＡが差し込み吊るされて保持されてなり、このくびれ部２ａには、合成樹脂製で筒状の天秤の握り部ともなる、支え軸体３がネジ込み等で結合されて連結体４を構成し、これらがアーム体１にゆるやかに差し込まれ、アーム体１に設けられた止め部１ａに依って固定されて始めてアーム体１の端子がまるめられ、リング体１ｂが形成されるが、このリング体１ｂには道糸を接続する為のサルカンＡをリング体１ｂに連結的に設けることになる。そして、これらのアーム体１はおもりＢ或いは、ビシＣが接続され天秤が構成される。【００１３】  次に、図２と図４は、本発明での第２実施例に基づく要部を示しての斜視図で、前記するアーム体１に差し込まれて、おもりＢやビシＣを吊るすサルカンＡを保持する為の２つの部品でなる連結体４を基本体にし、アーム体１に貫通移動可能な軟質材で伸縮自在でなる筒状のロック体５を、支え軸体３に程良く収容して一体化にし、この嵌め込まれたロック体５の側面５ａにサルカンＡを保持して吊り下げ、止め軸体２が加圧Ｐを付加しながら支え軸体３とネジ締めＮ結合することで、密閉部に収納するロック体５が押し込まれて変形での拡張でのはみ出しａが壁面を押し付け、ロック体５の孔に貫通して接合するアーム体１の外周を限りない押し圧で挟み込み、移動するはずの連結体４をアーム体１に固定可能な構成とし、そしてまた、前記止め軸体２と支え軸体３との結合の為のネジ締めＮの解除によってロック体５の弾発力のはみ出しａが同時に緩み連結体４の移動が再現出来る構成である。【００１４】  このように、前記するロック体５を持つ３つの部品で構成する連結体４をアーム体１の端子部から中央部に徐々に移動させることで湾曲でなるバネ性のアーム体１の長さが短くなり、魚の強いハリスの引きに反応することになり、また、連結体４を中央部から徐々に先端部に近づけることでバネ性のアーム体１の長さが延長し、バネ圧が弱まりハリスの弱い魚の引きに敏感に反応することで、狙いとする魚の引きに順応する最適なアーム体１のバネ性を取り出すことの出来る構成である。このようにすることで、弱いバネ圧は引きの弱い魚例えば、おもりＢ付きでの胴づき釣りのアイナメやカサゴ釣り���使い、強いバネ圧は引きの強い魚で例えば、ブリ、シマアジ、ヒラマサ釣り等で使える利便性があり、更には、魚の過剰な引きでの天秤の破損などのトラブルを解消する為、アーム体１のタワミの支点となる止め軸体２の開口部の出入れ口をテーパー孔にし、支点に集中する応力を分散する構成としている。
【図面の簡単な説明】
【００１５】
【図１】本発明に係わる第１実施例での一部断面を示しての要部斜視図である。
【図２】本発明に係わる第２実施例での一部断面を示しての要部斜視図である。
【図３】本発明に係わる第１実施例での全体を示しての斜視図である。
【図４】本発明に係わる第２実施例での一部省略での全体斜視図である。
【符合の説明】
【００１６】    Ａ      サルカン
Ｂ      おもり
Ｃ      ビシ
Ｐ      加圧
Ｎ      ネジ締め
Ｔ      移動
ａ      はみ出し
１      アーム体
１ａ    止め部
１ｂ    リング体
２      止め軸体
２ａ    くびれ部
３      支え軸体
４      連結体
５      ロック体
５ａ    側面
【図１】
2010142213.tif 000003
【図２】
2010142213.tif 000004
【図３】
2010142213.tif 000005
【図４】
2010142213.tif 000006